(57)【要約】【課題】配線基板の電極に対するコンタクトピンの上当て及び下当てのいずれも可能とする電気部品用ソケットを提供する。【解決手段】配線基板の端部に形成された電極を受け入れるゲート部を備えたソケット本体部４と、ソケット本体部４に植設されソケットカバー６の閉動作により押圧されてゲート部に受け入れた配線基板の電極と接触する接触子５ａを有するコンタクトピン５とを備え、ゲート部を構成するガイド部材８の下面及び上面にそれぞれ第１ゲート部９ａ及び第２ゲート部９ｂを形成し、コンタクトピン５の接触子５ａには、第１ゲート部９ａまたは第２ゲート部９ｂに挿入された電極に対して上方から接触する第１接触部５ｅを設けると共に、下方から接触する第２接触部５ｆを設けたものである。【選択図】      図３
2005025965.tif 000002
【特許請求の範囲】
【請求項１】
配線基板の端部に形成された電極を受け入れるゲート部を備えたソケット本体部と、ソケット本体部に開閉自在に取り付けられゲート部側の端部を閉方向に付勢するソケットカバーと、ソケット本体部に植設されソケットカバーの閉動作により押圧されてゲート部に受け入れた配線基板の電極と接触する接触子を有するコンタクトピンとを備えた電気部品用ソケットであって、
前記ゲート部を構成するガイド部材の下面及び上面にそれぞれ第１ゲート部及び第２ゲート部を形成し、
前記コンタクトピンの接触子には、前記第１ゲート部または第２ゲート部に挿入された電極に対して上方から接触する第１接触部を設けると共に、下方から接触する第２接触部を設けたことを特徴とする電気部品用ソケット。
【請求項２】
前記コンタクトピンの第１接触部及び第２接触部は、前記ゲート部入り口側端部にて電極との間隔が広く、奥側に向かって狭くなるようにテーパー状に形成されたことを特徴とする請求項１記載の電気部品用ソケット。
【請求項３】
前記コンタクトピンは、ソケット本体部に保持される基部と、この基部から前記ガイド部材側に延設され先端部に接触子を有するアームと、基部から前記ソケット本体部を貫通して外方に突出する接続部と、を備えたことを特徴とする請求項１記載の電気部品用ソケット。
【請求項４】
前記コンタクトピンは、ソケット本体部のゲート部の幅方向に複数並列配置されており、基部から突出する各接続部を隣合う同士で位置がずれるように配設したことを特徴とする請求項３記載の電気部品用ソケット。
【請求項５】
前記コンタクトピンは、ソケット本体部のゲート部の幅方向に複数並列配置されており、アーム先端部の接触子を隣合う同士で位置がずれるように該アームの長さを変えたことを特徴とする請求項３記載の電気部品用ソケット。
【請求項６】
前記ガイド部材は、前記ゲート部の奥側端部に接触子が挿入されるガイドスリットを形成したことを特徴とする請求項１記載の電気部品用ソケット。
【請求項７】
前記ガイド部材は、ゲート部の幅を可変するゲート幅可変手段を備えたことを特徴とする請求項１記載の電気部品用ソケット。
【請求項８】
前記ソケット本体部のゲート部近傍に、ソケットカバーの内面に当接して回動自在に設けたカムシャフト及びこのカムシャフトに連結されたレバーを有する操作手段を備え、この操作手段を操作して回動中心に対する距離の異なるカムシャフトの側面をソケットカバー内面に当接させてソケットカバーの開閉操作をするようにしたことを特徴とする請求項１記載の電気部品用ソケット。
【発明の詳細な説明】
【０００１】
【発明の属する技術分野】
本発明は、フレキシブルプリント回路基板（以下、「ＦＰＣ」と略称する）等の配線基板に備えられた電気部品の性能試験に適用される電気部品用ソケットに関し、詳しくは、配線基板の端部の平面電極を受け入れるゲート部を二つ備え、配線基板の平面電極に対するコンタクトピンの上当て及び下当てのいずれも可能とする電気部品用ソケットに係るものである。
【０００２】
【従来の技術】
従来のこの種の電気部品用ソケットには、基台に接近離間自在にアーム部を設け、このアーム部が離間位置にあるときに基台とアーム部の間にＦＰＣの端部を挿入し、アーム部を接近位置とすることでアーム部に配設されたプローブがＦＰＣの端部の表面に配設された平面電極に当接するようにしたものがある（例えば、特許文献１参照）。
【０００３】
【特許文献１】
実用新案登録第２５５７０６７号公報（第３頁、図３）
【０００４】
【発明が解決しようとする課題】
しかし、このような従来の電気部品用ソケットにおいては、プローブの尖った先端部をＦＰＣの平面電極に当接するようにしているため、平面電極に小さな点状の傷を残す虞があった。
【０００５】
また、ＦＰＣ付ＬＣＤモジュールの試験においては、例えば図１１（ａ）に示すようにＦＰＣ１を真直ぐ延ばした状態で電機部品用ソケットに装着して行われる場合や、同図（ｂ）に示すようにＦＰＣ１を折り曲げて装着して行われる場合がある。ここで、同図（ａ）の場合は、ＦＰＣ１の平面電極２が上向きであるため平面電極２に対して上方からプローブ３を当接（上当て）させるのに対して、同図（ｂ）の場合は平面電極２が下向きであるため下から当接（下当て）させなければならないこととなる。したがって、平面電極２に対して上方からプローブ３を当接させるようにした従来の電気部品用ソケットでは、下向き平面電極２への下当てには対応することができなかった。このような場合、従来の電気部品用ソケットにより、強いて対応しようとするならば、ＦＰＣ１を捻じ曲げて平面電極２を上向きにして装着してやればよい。しかし、このような方法は、作業性が悪く、特にＦＰＣ１が短い場合には、適用できなかった。
【０００６】
そこで、本発明は、このような問題点に対処し、配線基板の平面電極に対するコンタクトピンの上当て及び下当てのいずれも可能とする電気部品用ソケットを提供することを目的とする。
【０００７】
【課題を解決するための手段】
上記目的を達成するために、本発明による電機部品用ソケットは、配線基板の端部に形成された電極を受け入れるゲート部を備えたソケット本体部と、ソケット本体部に開閉自在に取り付けられゲート部側の端部を閉方向に付勢するソケットカバーと、ソケット本体部に植設されソケットカバーの閉動作により押圧されてゲート部に受け入れた配線基板の電極と接触する接触子を有するコンタクトピンとを備えた電気部品用ソケットであって、前記ゲート部を構成するガイド部材の下面及び上面にそれぞれ第１ゲート部及び第２ゲート部を形成し、前記コンタクトピンの接触子には、前記第１ゲート部または第２ゲート部に挿入された電極に対して上方から接触する第１接触部を設けると共に、下方から接触する第２接触部を設けたものである。
【０００８】
このような構成により、ガイド部材の第１ゲート部に挿入された配線基板の電極に対してコンタクトピンの接触子に設けた第１接触部で上方から接触する。また、ガイド部材の第２ゲート部に挿入された配線基板の電極に対して接触子に設けた第２接触部で下方から接触する。これにより、一つの電機部品用ソケットで配線基板の平面電極に対して上当て及び下当てのいずれにも対応する。
【０００９】
さらに、前記コンタクトピンの第１接触部及び第２接触部は、前記ゲート部入り口側端部にて電極との間隔が広く、奥側に向かって狭くなるようにテーパー状に形成されたものである。これにより、配線基板の電極のゲート部に対する挿入性を良くし、コンタクトピンの破損を防止する。
【００１０】
また、前記コンタクトピンは、ソケット本体部に保持される基部と、この基部から前記ガイド部材側に延設され先端部に接触子を有するアームと、基部から前記ソケット本体部を貫通して外方に突出する接続部とを備えたものである。これにより、ソケット本体部に保持される基部から延設するアームの先端に接触子を保持し、接続部を基部からソケット本体部を貫通して外方に突出させる。
【００１１】
さらにまた、前記コンタクトピンは、ソケット本体部のゲート部の幅方向に複数並列配置されており、基部から突出する各接続部を隣合う同士で位置がずれるように配設したものである。これにより、複数並列配置されたコンタクトピンの各接続部の位置を隣合う同士でずらし、配列密度の高い電極部を有する回路基板に対応する。
【００１２】
そして、前記コンタクトピンは、ソケット本体部のゲート部の幅方向に複数並列配置されており、アーム先端部の接触子を隣合う同士で位置がずれるように該アームの長さを変えたものである。これにより、複数並列配置されたコンタクトピンの各接触子の位置を隣合う同士でずらし、配線密度の高い配線基板の電極に対応する。
【００１３】
さらに、前記ガイド部材は、前記ゲート部の奥側端部に接触子が挿入されるガイドスリットを形成したものである。これにより、ゲート部の奥側端部に形成したガイドスリットに接触子を挿入する。
【００１４】
そして、前記ガイド部材は、ゲート部の幅を可変するゲート幅可変手段を備えたものである。これにより、ゲート幅可変手段でゲート部の幅を変更する。
【００１５】
そして、前記ソケット本体部のゲート部近傍に、ソケットカバーの内面に当接して回動自在に設けたカムシャフト及びこのカムシャフトに連結されたレバーを有する操作手段を備え、この操作手段を操作して回動中心に対する距離の異なるカムシャフトの側面をソケットカバー内面に当接させてソケットカバーの開閉操作をするようにしたものである。これにより、カムシャフトをソケットカバーの内面に当接させ、レバーを操作して回動中心に対する距離の異なるカムシャフトのソケットカバー内面に当接する側面位置を変え、ソケットカバーの開閉操作をする。
【００１６】
【発明の実施の形態】
以下、本発明の実施の形態を添付図面に基づいて詳細に説明する。
図１は本発明による電気部品用ソケットの第１実施形態を示す部分断面平面図であり、図２はその左側面図、図３はＸ−Ｘ線断面図であり、ソケットカバーを開いた状態を示している。この電気部品用ソケットは、ＦＰＣ等の配線基板（以下、ＦＰＣと記載）に備えた電気部品の性能試験に適用されるものであり、ソケット本体部４と、コンタクトピン５と、ソケットカバー６とを備えている。
【００１７】
ソケット本体部４は、電気部品用ソケットの本体部をなすものであり、図３に示すようにその上面の一側端部近傍に、ＦＰＣの端部を載置する載置部７と、載置部７上方に設けられたガイド部材８とを有しており、例えば樹脂成型されたものである。このガイド部材８は、ＦＰＣの端部に形成された平面電極を後述のゲート部内部に案内すると共に、平面電極と後述のコンタクトピン５の接触子５ａとの位置決めをするものであり、図２に示すようにガイド部材８の下面及び上面に凹部を形成して第１及び第２ゲート部９ａ，９ｂとしている。そして、この第１及び第２ゲート部９ａ，９ｂが入り口から奥に向かって狭くなるように凹部を形成し（図１参照）、第１及び第２ゲート部９ａ，９ｂの奥の幅をＦＰＣ１の平面電極側端部の幅と略一致するように形成して、平面電極をコンタクトピン５の接触子５ａに対して位置決め可能にしている。さらに、ガイド部材８は、第１及び第２ゲート部９ａ，９ｂの奥側端部に接触子５ａを受け入れる複数のガイドスリット８ａを、例えば０．５ｍｍのピッチで形成しており（図１参照）、接触子５ａを上下動可能に保持すると共に位置決め規制している。
【００１８】
ソケット本体部４の略中央部には、図１に示すようにコンタクトピン５が複数並列して配置されている。このコンタクトピン５は、ＦＰＣ１の平面電極と回路基板の電極部とを電気的に接続させるものであり、図３に示すようにソケット本体部４に保持された幅の広い基部５ｂと、この基部５ｂから根元部をループ状に形成してガイド部材８方向に延設され、先端部に接触子５ａを有する細長いアーム５ｃと、基部５ｂからソケット本体部４を貫通して底面側に突出する接続部５ｄとを備えて、例えばベリリウム銅の導電材料で形成されており、ゲート部の幅方向に複数並列配置されている。なお、接続部５ｄは、ソケット本体部４の底面側に突出するものに限られず、例えば同図の右側面外方に突出させてもよい。
【００１９】
そして、接触子５ａは、上下端部にてＦＰＣ１の平面電極に対して上方から接触する第１接触部５ｅ及び下方から接触する第２接触部５ｆをそれぞれ上述の二つの第１及び第２ゲート部９ａ，９ｂに突出させて有し、これら第１及び第２接触部５ｅ，５ｆの頂部を円弧状に形成している。また、これらの第１及び第２接触部５ｅ，５ｆは、第１及び第２ゲート部９ａ，９ｂ入り口側端部にて平面電極との間隔が広く、奥側に向かって狭くなるようにテーパー状に形成されてＦＰＣ１の平面電極側端部を案内できるようにしている。なお、アーム５ｃは、弾性力が極めて小さく、それ自身では平面電極に対する押圧力を殆ど発生しない構造とされている。さらに、隣接するコンタクトピン５の基部５ｂから突出する接続部５ｄは、図３に示すように隣合う同士で位置がずれるように設けられている。これにより、配列密度の高い電極部を有する回路基板に対応できるようにしている。
【００２０】
また、ソケット本体部４上方には、ソケットカバー６が設けられている。このソケットカバー６は、閉動作により上方から押圧してＦＰＣ１の平面電極と接触子５ａとを接触させるものであり、例えば樹脂成型されたものである。そして、シャフト１０によってソケット本体部４に開閉自在に取り付けられ、第１及び第２ゲート部９ａ，９ｂ側の端部が常時閉方向に付勢されるように、反対側端部に例えば弦巻ばね等の弾性部材１１を、一端部をソケット本体部４に固定して備えている。また、第２ゲート部９ｂに対応した下面部位を突出させて押圧部１２を形成している。
【００２１】
次に、このように構成された電気部品用ソケットの動作について説明する。
まず、電気部品用ソケットが回路基板１８上に設置され、図３に示すコンタクトピン５の接続部５ｄが回路基板１８の対応する電極部に、例えば半田付け等により接続される。
【００２２】
次に、ソケットカバー６の反対側端部を弾性部材１１の付勢力に抗して、例えば指先等で矢印Ａ方向に押圧して弾性部材１１を圧縮変形させ、ソケットカバー６に開動作をさせる。これにより、ソケットカバー６の押圧部１２を接触子５ａから離間させ、ＦＰＣ１の端部を第１ゲート部９ａまたは第２ゲート部９ｂに受け入れ可能にする。
【００２３】
このような状態において、第１デート部９ａまたは第２ゲート部９ｂにＦＰＣ１の平面電極側端部を挿入する。この場合、例えば平面電極を上向きにして電気部品用ソケットに装着するときには、図４（ａ）に示す下側の第１ゲート部９ａにＦＰＣ１の端部１ａを矢印Ｂ方向に挿入する。これにより、同図（ｂ）に示すように平面電極２に対して接触子５ａの第１接触部５ｅが上方から接触可能となる（上当て）。また、平面電極２を下向きにして電気部品用ソケットに装着するときには、同図（ａ）に示す上側の第２ゲート部９ｂにＦＰＣ１の端部１ａを矢印Ｃ方向に挿入する。これにより、同図（ｃ）に示すように平面電極２に対して接触子５ａの第２接触部５ｆが下方から接触可能となる（下当て）。
【００２４】
したがって、例えばＦＰＣ１を接続したＬＣＤの駆動検査に本発明の電気部品用ソケットを適用する場合に、図１１（ａ）に示すようにＦＰＣ１を真直ぐ延ばした状態で装着する場合、平面電極２がＦＰＣ１の表面側に形成されているときには、図４（ａ）の第１ゲート部９ａにＦＰＣ１の端部１ａを挿入して上当てにて使用し（同図（ｂ）参照）、平面電極２がＦＰＣ１の裏面側に形成されているときには、第２ゲート部９ｂにＦＰＣ１の端部１ａを挿入して下当てにて使用する（同図（ｃ）参照）。また、図１１（ｂ）に示すようにＦＰＣ１を折り曲げた状態で装着する場合、平面電極２がＦＰＣ１の表面側に形成されているときには、図４（ａ）の第２ゲート部９ｂにＦＰＣ１の端部１ａを挿入して下当てにて使用し（同図（ｃ）参照）、平面電極２がＦＰＣ１の裏面側に形成されているときには、第１ゲート部９ａにＦＰＣ１の端部１ａを挿入して上当てにて使用する（同図（ｂ）参照）。
【００２５】
次に、図３に示すソケットカバー６に対する矢印Ａ方向の押圧を解除すると、ソケットカバー６は、弾性部材１１の復元力によりシャフト１０を中心に回動して閉動作をする。これにより、押圧部１２でコンタクトピン５の接触子５ａまたはＦＰＣ１の端部１ａを下方に押圧し、接触子５ａと平面電極２とを電気的に接触させる。具体的には、図４（ｂ）に示すような上当ての場合は、押圧部１２が接触子５ａの第２接触部５ｆを押圧して第１接触部５ｅを平面電極２に押し当てて接触させる。また、図４（ｃ）に示すような下当ての場合は、押圧部１２がＦＰＣ１の端部１ａを押圧して平面電極２を接触子５ａの第２接触部５ｆに押し当てて接触させる。これにより、ＦＰＣ１の平面電極２と回路基板の電極部とをコンタクトピン５を介して電気的に接続する。
【００２６】
このように構成された第１実施形態の電気部品用ソケットによれば、ソケット本体部４に二つの第１及び第２ゲート部９ａ，９ｂを設けてそれぞれＦＰＣ１の端部１ａを受け入れ可能とし、コンタクトピン５の細長いアーム５ｃの先端部に有する接触子５ａをＦＰＣ１の平面電極２に対して上方及び下方のいずれの方向からも接触させることができるので、例えばＦＰＣ付ＬＣＤモジュール等において平面電極２がＦＰＣ１の表面または裏面のいずれに形成されていても、また電気部品用ソケットに対するＦＰＣ１の装着方法が、ＦＰＣ１を真直ぐ延ばした状態または折り曲げた状態のいずれの場合であっても一つの電気部品用ソケットで対応することができる。これにより、ＦＰＣ１を捻じ曲げる等せずに、例えばＬＣＤモジュール等の観察面を常に上方に向けた状態で電気部品用ソケットに装着することができる。したがって、ＦＰＣ１の電気部品用ソケットに対する装着の作業性を向上することができる。
【００２７】
また、コンタクトピン５の接触子５ａとＦＰＣ１の平面電極２との接触圧は、ソケットカバー６を付勢する弾性部材１１の弾性力により殆ど決まるため、この弾性部材１１の弾性力を適宜選択するだけで接触圧の調整を容易に行うことができる。
【００２８】
さらに、接触子５ａの第１及び第２接触部５ｅ，５ｆが円弧状に形成されているため、平面電極２に対する傷付きを抑制することができる。特に、平面電極２に対する傷付状態を見ながら弾性部材１１の弾性力を選択すれば、電気的接触を確保して傷付きをなくすこともできる。
【００２９】
そして、コンタクトピン５のアーム５ｃは、細く形成されてそれ自体弾性力を有しないようにされており、接触子５ａと平面電極２との接触圧は、ソケットカバー６を付勢する弾性部材１１により得るようにしているため、コンタクトピン５には耐久性を低下させるような負荷がかかることがない。したがって、コンタクトピン５の耐久性を向上することができる。
【００３０】
図５は、コンタクトピン５の変形例である。図５（ａ）及び（ｂ）に示すように複数並列配置されたコンタクトピン５のアーム５ｃの長さを変えて接触子５ａを隣合う同士で位置がずれるようにしている。これにより、配線密度の高いＦＰＣ１の平面電極２に対しても適用することができる。
【００３１】
次に、本発明に係る電気部品用ソケットの第２実施形態を、図６及び図７を参照して説明する。図６及び図７に示す第２実施形態の電気部品用ソケットにおいて、第１実施形態と異なる点は、ガイド部材８の第１及び第２ゲート部９ａ，９ｂ入り口にゲート幅を変更するゲート幅可変手段としての可動式ガイド１３を左右に一対設けていることである。
【００３２】
この可動式ガイド１３は、図７に示すように略コ字状に形成され、ガイド部材８の上下面に係止して設けられており、図６に示すように上面にゲート幅方向に長い貫通する長孔１３ａを形成してこの長孔１３ａを通してねじ１４によりガイド部材８に固定できるようになっている。これにより、ＦＰＣ１の端部１ａの幅に合わせて可動式ガイド１３の間隔Ｌを調整することができる。
【００３３】
このように構成された第２実施形態によれば、平面電極２の配列ピッチが同じであれば、可動式ガイド１３の間隔を調整することにより、端部１ａ幅の異なる各種ＦＰＣ１に対応することができる。
【００３４】
なお、可動式ガイド１３は、一対設ける必要はなく、いずれか一方のみ設けても良い。この場合、端部１ａは、ガイド部材８に設けた第１及び第２ゲート部９ａ，９ｂのいずれか一方の側面に片寄せされて位置決めされることになる。
【００３５】
次に、本発明に係る電気部品用ソケットの第３実施形態を、図８〜図１１を参照して説明する。図８及び図９に示す第３実施形態の電気部品用ソケットにおいて、第１実施形態と異なる点は、ソケットカバー６の開閉操作を行う操作手段１５を備えたことである。この操作手段１５は、ソケット本体部４の第１及び第２ゲート部９ａ，９ｂ近傍に設けられ、図９に示すようにソケットカバー６の内面６ａに当接して回動自在に設けられたカムシャフト１６と、このカムシャフト１６の一端部に連結されたレバー１７とで構成されている（図８参照）。
【００３６】
このカムシャフト１６は、図９に示すように円柱状のシャフトの側面を軸心に沿って平面状にカットしたカット部１６ａを設けており、通常は、このカット部１６ａをソケットカバー６の内面６ａに当接させてソケットカバー６を閉じている。
【００３７】
ここで、ＦＰＣ１を電気部品用ソケットに装着する際には、図１０に示すようにレバー１７を例えば起立方向に操作してカムシャフト１６を回動し、カムシャフト１６の円柱側面１６ｂをソケットカバー６の内面６ａに当接させる。これにより、ソケットカバー６がシャフト１０を中心に回動して弾性部材１１を矢印Ｄ方向に押し縮め、開状態とされる。このとき、押圧部１２がコンタクトピン５の接触子５ａから離間して第１及び第２ゲート部９ａ，９ｂがＦＰＣ１の端部１ａを受け入れ可能状態に保持される。
【００３８】
次に、ＦＰＣ１を電気部品用ソケットに装着し、レバー１７を上述と逆方向に回動操作してカムシャフト１６のカット部１６ａがソケットカバー６の内面６ａに当接するようにソケットカバー６を閉じると（図９参照）、図４（ｂ）または（ｃ）と同様に押圧部１２がコンタクトピン５の接触子５ａまたはＦＰＣ１の端部１ａを押圧して接触子５ａと平面電極２とを電気的に接触させる。これにより、ＬＣＤ等の電気部品がＦＰＣ１とコンタクトピン５を介して回路基板に接続され、電気部品の試験が可能となる。
【００３９】
このように構成された第３実施形態によれば、ソケットカバー６の開閉操作を操作手段１５により行うようにしているので、操作性を向上することができる。特に、実装密度を向上するために、第１及び第２ゲート部９ａ，９ｂを上方に向けて電気部品用ソケットを立てた状態で複数配列して試験を行う場合には、ソケットカバー６の開閉操作が容易となり、有効である。
【００４０】
また、操作手段１５のカムシャフト１６の円柱側面１６ｂをソケットカバー６の内面６ａに当接させた状態にすれば、第１及び第２ゲート部９ａ，９ｂをＦＰＣ１の端部１ａを受け入れ可能状態に保持することができ、ＦＰＣ１を電気部品用ソケットに装着する際に、ソケットカバー６の押圧部１２と反対側の端部を常時、指先等で押圧している必要がなく、作業性を向上することができる。なお、カムシャフト１６は、上述の円柱の側面をカットしたものに限られず、偏心シャフトであってもよい。
【００４１】
また、上述の電気部品は、ＬＣＤに限定されず、例えばＤＶＤ装置等を含む各種の電子部品モジュールであってもよい。
【００４２】
【発明の効果】
本発明は以上のように構成されたので、請求項１に係る発明によれば、ガイド部材の第１ゲート部に挿入された配線基板の平面電極に対してコンタクトピンの接触子に設けた第１接触部を上方から接触することができる。また、ガイド部材の第２ゲート部に挿入された配線基板の平面電極に対して接触子に設けた第２接触部を下方から接触することができる。したがって、一つの電機部品用ソケットで配線基板の平面電極に対して上当て及び下当てのいずれにも対応し、作業性を向上することができる。
【００４３】
また、請求項２に係る発明によれば、配線基板の平面電極のゲート部に対する挿入性を良くし、コンタクトピンの破損を防止することができる。
【００４４】
さらに、請求項３に係る発明によれば、ソケット本体部に保持される基部から延設するアームの先端に接触子を保持し、接続部を基部からソケット本体部を貫通して外方に突出させることができる。したがって、弾性力を有しない細長いアーム部で接触子を支えてコンタクトピンの耐久性を向上することができる。
【００４５】
さらにまた、請求項４に係る発明によれば、複数並列配置されたコンタクトピンの各接続部の位置を隣合う同士でずらすことができる。したがって、配列密度の高い電極部を有する回路基板に対応することができる。
【００４６】
そして、請求項５に係る発明によれば、複数並列配置されたコンタクトピンの各接触子の位置を隣合う同士でずらすことができる。したがって、配線密度の高い配線基板の平面電極に対応することができる。
【００４７】
また、請求項６に係る発明によれば、ゲート部の奥側端部に形成したガイドスリットに接触子を挿入することができる。したがって、接触子をガイドスリットで位置規制することができる。
【００４８】
さらに、請求項７に係る発明によれば、ゲート幅可変手段でゲート部の幅を変更することができる。したがって、平面電極の配列ピッチが等しい場合には、端部幅の異なる各種配線基板に対応することができる。
【００４９】
そして、請求項８に係る発明によれば、カムシャフトをソケットカバーの内面に当接させ、レバーを操作して回動中心に対する距離の異なるカムシャフトのソケットカバー内面に当接する側面位置を変え、ソケットカバーの開閉操作をすることができる。したがって、ソケットカバーの開閉操作性を向上することができる。
【図面の簡単な説明】
【図１】本発明による電機部品用ソケットの第１実施形態を示す平面図であり、中心線より上側半分はソケットカバーを省略して示す図である。
【図２】図１の左側面図である。
【図３】図１のＸ−Ｘ線断面図であり、ソケットカバーを開いた状態を示す図である。
【図４】配線基板の平面電極と接触子との異なる接触状態を示す説明図である。
【図５】コンタクトピンの変形例を示す説明図であり、（ａ）は要部拡大平面図、（ｂ）は断面で示す要部拡大側面図である。
【図６】本発明による電機部品用ソケットの第２実施形態を示す平面図である。
【図７】図６のＹ−Ｙ線断面図である。
【図８】本発明による電機部品用ソケットの第３実施形態を示す平面図であり、中心線より上側半分はソケットカバーを省略して示す図である。
【図９】図８のＺ−Ｚ線断面図である。
【図１０】第３実施形態において、ソケットカバーを開いた状態を示す断面図である。
【図１１】電気部品を接続した配線基板を電気部品用ソケットに装着する場合の異なる二つの例を示す説明図である。
【符号の説明】
１…ＦＰＣ
２…平面電極
４…ソケット本体部
５…コンタクトピン
５ａ…接触子
５ｂ…基部
５ｃ…アーム
５ｄ…接続部
５ｅ…第１接触部
５ｆ…第２接触部
６…ソケットカバー
８…ガイド部材
８ａ…ガイドスリット
９ａ…第１ゲート部
９ｂ…第２ゲート部
１１…弾性部材
１２…押圧部
１３…可動式ガイド
１５…操作手段
１６…カムシャフト
１７…レバー
１８…回路基板
【図１】
2005025965.tif 000003
【図２】
2005025965.tif 000004
【図３】
2005025965.tif 000005
【図４】
2005025965.tif 000006
【図５】
2005025965.tif 000007
【図６】
2005025965.tif 000008
【図７】
2005025965.tif 000009
【図８】
2005025965.tif 000010
【図９】
2005025965.tif 000011
【図１０】
2005025965.tif 000012
【図１１】
2005025965.tif 000013